【手続補正書】
【提出日】平成17年1月11日(2005.1.11)
【手続補正１】
【補正対象書類名】明細書
【補正対象項目名】特許請求の範囲
【補正方法】変更
【補正の内容】
【特許請求の範囲】
【請求項１】
特定の機能が予め無効に設定された受信装置において、
データを受信する受信手段と、
この受信手段による受信データより所定のデータを検出する検出手段と、
この検出手段により所定のデータが検出されると、前記特定の機能が有効となるように設定する制御手段と
を備えたことを特徴とする受信装置。
【請求項２】
前記受信データに基づいてメッセージを表示する表示手段を更に備え、
前記所定のデータは、前記表示手段に表示されるメッセージ自身を示すメッセージデータに含まれることを特徴とする請求項１記載の受信装置。
【請求項３】
前記受信データに基づいてメッセージを表示する表示手段を更に備え、
前記所定のデータは、前記表示手段に表示されるメッセージの表示態様を制御する制御データに含まれることを特徴とする請求項１記載の受信装置。
【請求項４】
前記所定のデータは、前記受信手段により定期的に受信される当該受信装置を制御する制御データに含まれることを特徴とする請求項１記載の受信装置。
【請求項５】
前記所定のデータは、当該受信装置に個別に設定された識別データに含まれることを特徴とする請求項１記載の受信装置。
【請求項６】
報知手段を更に備え、
前記特定の機能とは、この報知手段による報知を通常とは異なる報知形態で行なう機能であることを特徴とする請求項１〜５のいずれかに記載の受信装置。
【請求項７】
前記特定の機能とは、前記表示手段における表示を通常とは異なる表示形態で行なう機能であることを特徴とする請求項２、又は３に記載の受信装置。
【請求項８】
画像データを記憶する画像記憶手段を更に備え、
前記特定の機能とは、この画像記憶手段に記憶された画像データを前記表示手段に表示する機能であることを特徴とする請求項２、又は３に記載の受信装置。
【請求項９】
画像データを記憶する画像記憶手段を更に備え、
前記特定の機能とは、前記表示手段が、受信データに基づくメッセージを表示するモード以外でも、前記所定のデータに基づく画像データを表示することを特徴とする請求項２、又は３に記載の受信装置。
【請求項１０】
当該受信装置に通常に設定された機能の拡張情報を記憶する拡張情報記憶手段を更に備え、
前記特定の機能とは、この拡張情報記憶手段に記憶された拡張情報に基づいて前記通常の設定機能を拡張する機能であることを特徴とする請求項１〜５のいずれかに記載の受信装置。
【請求項１１】
前記所定のデータ及び前記特定の機能はそれぞれ複数種あり、かつ、各所定のデータはそれぞれ複数種の特定の機能のうちの少なくとも一つと対応付けられており、
前記制御手段は、前記検出手段により検出された所定のデータと、前記所定のデータと前記特定の機能との対応付けに基づいて、特定の機能を有効に設定し直すことを特徴とする請求項１記載の受信装置。
【請求項１２】
特定の機能が予め無効に設定されたデータ受信システムの受信データ処理方法において、
受信されたデータより所定のデータが検出されると、前記特定の機能が有効となるように設定することを特徴とする受信データ処理方法。
【手続補正２】
【補正対象書類名】明細書
【補正対象項目名】００１２
【補正方法】変更
【補正の内容】
【００１２】
また、請求項１２記載の発明によれば、特定の機能が予め無効に設定されたデータ受信システムの受信データ処理方法において、受信されたデータより所定のデータが検出されると、前記特定の機能が有効となるように設定する。
【手続補正３】
【補正対象書類名】明細書
【補正対象項目名】００１３
【補正方法】変更
【補正の内容】
【００１３】
この請求項１、１１、及び１２記載の発明によれば、受信データに所定のデータが含まれていれば、予め設定されている通常動作時は無効としている特定の機能をデータ受信に応答して動作させることができる。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】変更
【補正の内容】
【００４５】
請求項６記載の発明は、請求項１〜５に記載の受信装置において、報知手段を更に備え、前記特定の機能とは、この報知手段による報知を通常とは異なる報知形態で行なう機能であることを特徴としている。
【手続補正３１】
【補正対象書類名】明細書
【補正対象項目名】００４６
【補正方法】変更
【補正の内容】
【００４６】
請求項６記載の発明によれば、当該受信装置に予め無効に設定された特定の機能は、報知手段による報知を通常とは異なる報知形態で行なう。
【手続補正３２】
【補正対象書類名】明細書
【補正対象項目名】００４８
【補正方法】変更
【補正の内容】
【００４８】
請求項７記載の発明は、請求項２、又は３に記載の受信装置において、前記特定の機能とは、前記表示手段における表示を通常とは異なる表示形態で行なう機能であることを特徴としている。
【手続補正３３】
【補正対象書類名】明細書
【補正対象項目名】００４９
【補正方法】変更
【補正の内容】
【００４９】
請求項７記載の発明によれば、当該受信装置に予め無効に設定された特定の機能は、表示手段における表示を通常とは異なる表示形態で行なう。
【手続補正３４】
【補正対象書類名】明細書
【補正対象項目名】００５１
【補正方法】変更
【補正の内容】
【００５１】
請求項８記載の発明は、請求項２、又は３に記載の受信装置において、画像データを記憶する画像記憶手段を更に備え、前記特定の機能とは、この画像記憶手段に記憶された画像データを前記表示手段に表示する機能であることを特徴としている。
【手続補正３５】
【補正対象書類名】明細書
【補正対象項目名】００５２
【補正方法】変更
【補正の内容】
【００５２】
請求項８記載の発明によれば、当該受信装置に予め無効に設定された特定の機能は、画像記憶手段に記憶された画像データを表示手段に表示する。
【手続補正３６】
【補正対象書類名】明細書
【補正対象項目名】００５６
【補正方法】削除
【補正の内容】
【手続補正３７】
【補正対象書類名】明細書
【補正対象項目名】００５７
【補正方法】削除
【補正の内容】
【手続補正３８】
【補正対象書類名】明細書
【補正対象項目名】００５９
【補正方法】変更
【補正の内容】
【００５９】
請求項１０記載の発明は、請求項１〜５のいずれかに記載の受信装置において、当該受信装置に通常に設定された機能の拡張情報を記憶する拡張情報記憶手段を更に備え、前記特定の機能とは、この拡張情報記憶手段に記憶された拡張情報に基づいて前記通常の設定機能を拡張する機能であることを特徴としている。
【手続補正３９】
【補正対象書類名】明細書
【補正対象項目名】００６０
【補正方法】変更
【補正の内容】
【００６０】
請求項１０記載の発明によれば、当該受信装置に予め無効に設定された特定の機能は、拡張情報記憶手段に記憶された拡張情報に基づいて当該受信装置の通常の設定機能を拡張する。
【手続補正４０】
【補正対象書類名】明細書
【補正対象項目名】０２２０
【補正方法】変更
【補正の内容】
【０２２０】
【発明の効果】
請求項１、１１、及び１２記載の発明によれば、受信データに所定のデータが含まれていれば、予め設定されている通常動作時は無効としている特定の機能をデータ受信に応答して動作させることができる。
【手続補正４１】
【補正対象書類名】明細書
【補正対象項目名】０２２２
【補正方法】削除
【補正の内容】
【手続補正４２】
【補正対象書類名】明細書
【補正対象項目名】０２２３
【補正方法】削除
【補正の内容】
【手続補正４３】
【補正対象書類名】明細書
【補正対象項目名】０２２４
【補正方法】削除
【補正の内容】
【手続補正４４】
【補正対象書類名】明細書
【補正対象項目名】０２２５
【補正方法】削除
【補正の内容】
【手続補正４５】
【補正対象書類名】明細書
【補正対象項目名】０２２６
【補正方法】削除
【補正の内容】
【手続補正４６】
【補正対象書類名】明細書
【補正対象項目名】０２２７
【補正方法】変更
【補正の内容】
【０２２７】
請求項６記載の発明によれば、受信データに所定のデータが含まれていること、受信データにデータの所定の組み合わせが含まれていること、受信データに対して設定された外部条件と当該受信装置による内部処理データに対して設定された内部条件とがともに成立すること、等の所定の動作条件がデータ受信の際に成立すれば、当該受信装置に予め設定されている通常動作時は無効としている特定の機能が動作して、報知を通常とは異なる報知形態で行なう。これにより、例えば、受信データに"緊急"を示すメッセージデータが含まれていた場合に、着信報知音を緊急用の報知音に変更することができる等、受信装置の使い勝手を向上することができる。
【手続補正４７】
【補正対象書類名】明細書
【補正対象項目名】０２２８
【補正方法】変更
【補正の内容】
【０２２８】
請求項７記載の発明によれば、受信データに所定のデータが含まれていること、受信データにデータの所定の組み合わせが含まれていること、受信データに対して設定された外部条件と当該受信装置による内部処理データに対して設定された内部条件とがともに成立すること、等の所定の動作条件がデータ受信の際に成立すれば、当該受信装置に予め設定されている通常動作時は無効としている特定の機能が動作して、表示を通常とは異なる表示形態で行なう。これにより、例えば、受信データの中に"緊急"を示すメッセージデータが含まれていた場合に、表示文字のサイズや字体を変更することができる等、受信メッセージの表示形態の多様化を図ることができる。
【手続補正４８】
【補正対象書類名】明細書
【補正対象項目名】０２２９
【補正方法】変更
【補正の内容】
【０２２９】
請求項８記載の発明によれば、受信データに所定のデータが含まれていること、受信データにデータの所定の組み合わせが含まれていること、受信データに対して設定された外部条件と当該受信装置による内部処理データに対して設定された内部条件とがともに成立すること、等の所定の動作条件がデータ受信の際に成立すれば、当該受信装置に予め設定されている通常動作時は無効としている特定の機能が動作して、表示画面に画像表示を行なう。これにより、例えば、受信データの中に"おめでとう"を示すメッセージデータが含まれていた場合に、このメッセージに対応する予め記憶された画像を表示することができる等、受信メッセージの表現形態の多様化を図ることができる。
【手続補正４９】
【補正対象書類名】明細書
【補正対象項目名】０２３０
【補正方法】変更
【補正の内容】
【０２３０】
請求項９の発明によれば、ユーザー自身の設定によって画像の表示を行うだけでなく、他者から着信したメッセージデータによって画像が表示されるため、送信者、受信者の双方にとっての受信装置によるメッセージのやりとりの楽しみを増すことができる。
【手続補正５０】
【補正対象書類名】明細書
【補正対象項目名】０２３１
【補正方法】変更
【補正の内容】
【０２３１】
請求項１０記載の発明によれば、受信データに所定のデータが含まれていること、受信データにデータの所定の組み合わせが含まれていること、受信データに対して設定された外部条件と当該受信装置による内部処理データに対して設定された内部条件とがともに成立すること、等の所定の動作条件がデータ受信の際に成立すれば、当該受信装置に予め設定されている通常動作時は無効としている特定の機能が動作して、当該受信装置の通常の設定機能を拡張する。これにより、例えば、自己宛メッセージの受信回数に応じて使用可能なフリーワードを段階的に増やしていく（拡張する）ことができる等、加入者に対するサービス内容の充実を図ることができる。